(57)【要約】【課題】作業者と作業者から離れた場所にいる現場監督などとの指示や報告を、作業員の作業性を悪化することなく行うことのできる被服及び画像伝達システムを提供する。【解決手段】外部から情報を受信できる情報受信部１１と、情報受信部１１により受信した情報に基づいて画像を表示できる表示部１０と、前記表示部１０の表示状態の切り替えを行う表示切替手段１３，１５が設けられ、前記表示部１０は着衣した状態で着衣した者が見える位置に設けられている被服５を用いて、画像の伝達を行う。また、撮影部６が設けられて、作業者から離れた場所に画像を送ることができる。【選択図】  図２
2004232156.tif 000002
【特許請求の範囲】
【請求項１】
外部から情報を受信できる情報受信部と、前記情報受信部により受信した情報に基づいて画像を表示できる表示部と、前記表示部の内容又は表示態様の切り替えを行う表示切替手段を有する被服であって、前記表示部は被服を着衣した状態で着衣した者が見える位置に設けられており、前記表示切替手段により前記表示部の内容又は表示態様を切り替えることが可能であることを特徴とする表示部付き被服。
【請求項２】
前記表示切替手段は、受光部が設けられており、前記受光部で特定の光を検知することにより前記表示部の内容又は表示態様を切り替えることが可能であることを特徴とする請求項１に記載の表示部付き被服。
【請求項３】
受光部に検知させる特定の光は、頭部付近に装着可能な別途設けられた発光器から発生させることを特徴とする請求項２に記載の表示部付き被服。
【請求項４】
前記表示切替手段は、動き検知部が設けられており、前記動き検知部で所定の動きを検知することにより前記表示部の内容又は表示態様を切り替えることが可能であることを特徴とする請求項１〜３のいずれかに記載の表示部付き被服。
【請求項５】
動き検知部は、被服を着用した者の姿勢を検知することができ、前記姿勢に応じて表示部の内容を切り替えることが可能であることを特徴とする請求項４に記載の表示部付き被服。
【請求項６】
表示部は屈曲可能なディスプレイであり、前記表示部の位置は、被服の袖部であって前腕部に相当する部分に設けられていることを特徴とする請求項１〜５のいずれかに記載の表示部付き被服。
【請求項７】
表示部は複数有し、前記表示部の配列方向は被服の袖部の周方向であることを特徴とする請求項６に記載の表示部付き被服。
【請求項８】
表示部を複数有し、表示切替手段により、いずれかの表示部に表示するかを選択することが可能であることを特徴とする請求項１〜７のいずれかに記載の表示部付き被服。
【請求項９】
表示切替手段により、表示部の表示の方向を変更することが可能であることを特徴とする請求項１〜８のいずれかに記載の表示部付き被服。
【請求項１０】
表示切替手段には受信部が設けられ、外部から発信された表示切替指示情報を受信することにより、前記表示部の内容又は表示態様を切り替えることが可能であることを特徴とする請求項１〜９のいずれかに記載の表示部付き被服。
【請求項１１】
請求項１〜１０のいずれかに記載の被服と、画像取得部及び撮影画像発信部が設けられた撮影部とを有する画像伝達システムであって、前記画像取得部は前記被服を着衣した者の体に固定しながら画像情報を取得することができ、前記撮影画像発信部は前記画像情報の発信ができるものであり、発信された前記画像情報を別途設けられたモニタが受信して画像を表示することができる画像伝達システム。
【請求項１２】
請求項１〜１０のいずれかに記載の被服と、画像取得部及び撮影画像発信部が設けられた撮影部とを有する画像伝達システムであって、前記画像取得部は前記被服を着衣した者の頭部に固定して前側の画像情報を取得することができ、前記撮影画像発信部は前記画像情報の発信ができ、発信された前記画像情報を別途設けられたモニタが受信して表示することができる画像伝達システム。
【請求項１３】
前記撮影画像発信部により発信された画像情報を前記情報受信部により受信して、前記画像情報に基づいて表示部に画像の表示を行うことを特徴とする請求項１１又は１２に記載の画像伝達システム。
【請求項１４】
請求項１〜１０のいずれかに記載の被服を有する画像伝達システムであって、別途設けられた情報発信手段により発信された外部情報を情報受信部により受信して、取得された外部情報に基づいて表示部に画像の表示を行うことを特徴とする画像伝達システム。
【請求項１５】
表示部に表示可能な画像は２以上であり、表示切替手段は、いずれかの画像を表示するかを選択することができることを特徴とする請求項１１〜１４のいずれかに記載の画像伝達システム。
【発明の詳細な説明】
【０００１】
【発明の属する技術分野】
本発明は、画像の表示が可能な表示部が設けられた被服及びその被服を用いた画像伝達システムに関するものである。
【０００２】
【従来の技術】
工事その他の作業において、作業員とは別の場所にいる現場監督が、作業員に作業の内容などの指示を行うことがある。また、逆に作業員が作業の状況を報告したり、現場監督に指示を求めるため連絡することがある。これらの伝達は、通常、声による会話によって行われるが、直接声により伝達できない場合、たとえば、距離が遠い場合には無線や電話などにより行われている。
【０００３】
しかし、作業のため両手が自由にならない状態では、無線や電話などを自由に操作することができない。そして、一旦このために作業を中止するのは、効率的でない。
また、作業現場によっては、騒音の激しいことがある。かかる場合には、このような無線や電話などの音声によっては、確実に指示が伝達できない。
【０００４】
さらに、伝達する内容が複雑な場合には、前記した指示や状況の報告が言葉では伝達しにくい場合がある。この場合、上記方法では、作業内容を誤ることがあり、作業性を低下させたり、また、場合によっては事故につながるおそれもあった。
また、手術などの際に、手術部屋の外や、別の場所から指示を行う場合がある。かかる場合も同様に、確実な指示が伝達できる。
【０００５】
そして、２人以上のものが、協調して作業する場合に互いの状況を確認したい場合がある。例えば、別の場所で調整作業などをする場合、相手の現状を確認できれば作業が確実となるが、今までは、声を掛け合うなどによって、行っていた。
【０００６】
【発明が解決しようとする課題】
そして、最近、この作業者と現場監督との間などの情報伝達の量及び質を充実させ、安全に、作業効率を高めるため、画像により情報の伝達を行うことを研究されている。
【０００７】
画像により情報の伝達を行うには、作業者及び現場監督とも画像を表示する手段が必要となる。そして、作業員の画像情報の操作性の観点から、できるだけ、簡単に操作でき、作業の邪魔にならないようにすることが望ましい。
【０００８】
作業員が作業しながら画像情報を送る方法として、小型カメラとヘッドマウントディスプレイ（以下ＨＭＤ）を用いて、作業者と現場監督との間で画像の送受信をする方法が考えられる。ＨＭＤはゴーグルのように頭部につけて画像を見る装置で、小型の液晶ディスプレイやレンズを内蔵して、コンピュータで描いた画像を表示するものである。
そしてこの装置を用いると、作業員から現場の画像の情報を小型カメラを用いて現場監督に送信して、現場監督がモニタによって現場の画像を確認し、また、現場監督は作業員への指示事項を画像とした情報をＨＭＤにより、確認することができる。
【０００９】
しかしながら、このＨＭＤは、ゴーグルのように頭部につけて画像を見る装置であるので、視界を制限し、作業性を低下させるものであり、特に高所等の危険な場所では、使用することが困難であった。
また、頭部にＨＭＤ等を装着するために、頭部が重くなって負担がかかり、作業性が悪かった。
【００１０】
また、被服に画像が表示できれば、測定値などのデータを画像として表示し、被服を着用した者が測定値を容易に確認することができる。例えば、手術着をこのように構成することにより、体勢を変えることなく、手術ができることとなる。
【００１１】
そこで、本発明は、作業員の作業性を悪化させることなく、画像の表示が可能な被服及び画像伝達システムを提供することを課題とするものである。
【００１２】
【課題を解決するための手段】
そして、上記した目的を達成するための請求項１に記載の発明は、外部から情報を受信できる情報受信部と、前記情報受信部により受信した情報に基づいて画像を表示できる表示部と、前記表示部の内容又は表示態様の切り替えを行う表示切替手段を有する被服であって、前記表示部は被服を着衣した状態で着衣した者が見える位置に設けられており、前記表示切替手段により前記表示部の内容又は表示態様を切り替えることが可能であることを特徴とする表示部付き被服である。
ここで、「画像」とは、静止画及び動画を含むものである。「表示部の内容」とは、表示される画像がどのようなものかを示すものである。「表示部の表示態様」とは表示部の位置、範囲、上下の方向など、表示している部分の状態を示すものである。また、「被服」は、人が身につけるものであればよく、作業着や、手術着などがある。「被服を着衣した状態で着衣した者が見える位置」の具体例としては、袖部、前身頃等がある。さらに、表示部は、２つの画像を同時に表示することが可能であっても良い。
【００１３】
請求項１に記載の発明によれば、表示切替手段により、表示部の内容又は表示態様を切り替えることができるので、被服を着衣した者の動きによって、表示部の変更ができ、作業しながらでも容易に表示を切り替えることができる。
【００１４】
請求項２に記載の発明は、前記表示切替手段は、受光部が設けられており、前記受光部で特定の光を検知することにより前記表示部の内容又は表示態様を切り替えることが可能であることを特徴とする請求項１に記載の表示部付き被服である。
【００１５】
請求項２に記載の発明によれば、受光部が設けられた表示切替手段により、表示部の内容又は表示態様を切り替えることができるので、被服を着衣した者が所定の光を当てることにより、表示部の変更ができ、作業しながらでも容易に表示を切り替えることができる。
【００１６】
請求項３に記載の発明は、受光部に検知させる特定の光は、頭部付近に装着可能な別途設けられた発光器から発生させることを特徴とする請求項２に記載の表示部付き被服である。
【００１７】
請求項３に記載の発明によれば、受光部に検知させる特定の光は、頭部付近に装着可能な別途設けられた発光器から発生させるので、確実に表示部の内容又は表示態様を切り替えることができ、特に、頭部を動かすことにより、切り替えることができるので、手を動かすことなく操作でき、本来の作業の邪魔となりにくい。
【００１８】
請求項４に記載の発明は、前記表示切替手段は、動き検知部が設けられており、前記動き検知部で所定の動きを検知することにより前記表示部の内容又は表示態様を切り替えることが可能であることを特徴とする請求項１〜３のいずれかに記載の表示部付き被服である。
ここで、「動き検知部による検知」とは、速度、加速度、角速度などが所定の条件を満たすかどうか判断して、所定の条件を満たせば出力するものである。
【００１９】
請求項４に記載の発明によれば、動き検知部が設けられた表示切替手段により、表示部の内容又は表示態様を切り替えることができるので、容易に操作できる。特に、動き検知部を袖部に設けることにより、さらに操作が容易となる。
【００２０】
請求項５に記載の発明は、動き検知部は、被服を着用した者の姿勢を検知することができ、前記姿勢に応じて表示部の内容を切り替えることが可能であることを特徴とする請求項４に記載の表示部付き被服である。
【００２１】
請求項５に記載の発明によれば、動き検知部は、被服を着用した者の姿勢を検知することができ、前記姿勢に応じて表示部の内容を切り替えることが可能であるので、被服を着用した者が操作しなくても表示を変えることができる。
【００２２】
請求項６に記載の発明は、表示部は屈曲可能なディスプレイであり、前記表示部の位置は、被服の袖部であって前腕部に相当する部分に設けられていることを特徴とする請求項１〜５のいずれかに記載の表示部付き被服である。
【００２３】
請求項６に記載の発明によれば、表示部は屈曲可能なディスプレイであり、前記表示部の位置は、被服の袖部であって前腕部に相当する部分に設けられているので、必要なときには表示部の確認がしやすく、また、視界をさえぎることによって作業の邪魔になることはない。
【００２４】
請求項７に記載の発明は、表示部は複数有し、前記表示部の配列方向は被服の袖部の周方向であることを特徴とする請求項６に記載の表示部付き被服である。
【００２５】
請求項７に記載の発明によれば、表示部は複数有し、前記表示部の配列方向は被服の袖部の周方向であるので、被服を着用している作業者の腕の位置が変化しても、表示部の確認がしやすい。
【００２６】
請求項８に記載の発明は、表示部を複数有し、表示切替手段により、いずれかの表示部に表示するかを選択することが可能であることを特徴とする請求項１〜７いずれかに記載の表示部付き被服である。
【００２７】
請求項８に記載の発明によれば、表示部は複数有し、表示切替手段により、いずれかの表示部に表示するかを選択することが可能であるので、見えやすい表示部に切り替えて確認することができる。また、必要な表示部のみを使用することができるので、使用する電力量を減らして、より長時間の使用が可能となる。
【００２８】
請求項９に記載の発明は、表示切替手段により、表示部の表示の方向を変更することが可能であることを特徴とする請求項１〜８のいずれかに記載の表示部付き被服である。
【００２９】
請求項９に記載の発明によれば、表示切替手段により、表示部の表示の方向を変更することが可能であるので、被服を着用している作業者の体勢が変化するなどして、表示部との位置関係に変化が生じても、表示部の確認がしやすい。
【００３０】
請求項１０に記載の発明は、表示切替手段には受信部が設けられ、外部から発信された表示切替指示情報を受信することにより、前記表示部の内容又は表示態様を切り替えることが可能であることを特徴とする請求項１〜９のいずれかに記載の表示部付き被服である。
【００３１】
請求項１０に記載の発明によれば、表示切替手段には受信部が設けられ、外部から発信された表示切替指示情報を受信することにより、前記表示部の内容又は表示態様を切り替えることが可能であるので、被服を着用した者とは別の者、例えば、離れている者により表示部の切替の操作を行うことができる。
【００３２】
請求項１１に記載の発明は、請求項１〜１０のいずれかに記載の被服と、画像取得部及び撮影画像発信部が設けられた撮影部とを有する画像伝達システムであって、前記画像取得部は前記被服を着衣した者の体に固定しながら画像情報を取得することができ、前記撮影画像発信部は前記画像情報の発信ができるものであり、発信された前記画像情報を別途設けられたモニタが受信して画像を表示することができる画像伝達システムである。
【００３３】
請求項１２に記載の発明は、請求項１〜１０のいずれかに記載の被服と、画像取得部及び撮影画像発信部が設けられた撮影部とを有する画像伝達システムであって、前記画像取得部は前記被服を着衣した者の頭部に固定して前側の画像情報を取得することができ、前記撮影画像発信部は前記画像情報の発信ができ、発信された前記画像情報を別途設けられたモニタが受信して表示することができる画像伝達システムである。
【００３４】
請求項１１及び請求項１２に記載の発明によれば、画像取得部によって被服を着衣した者の体に固定しながら画像情報を取得して、その前記画像情報を撮影画像発信部によって発信し、別途設けられたモニタが受信して画像を表示することができるので、被服を着衣した者の周辺の画像を別の場所で確認することができる。
特に、請求項１２に記載の発明によれば、被服を着衣した者の頭部に固定して前側の画像情報を取得することができるので、被服を着衣した者の視野と同様の画像を別の場所で確認することができる。
さらに、前記画像取得部の固定場所を、頭部ではなく胸部や肩部などに固定し、被服に直接取り付ける構成としても良い。かかる場合には、被服に直接取り付けることができ、また、被服を着用した者が、頭部のみの方向を変えることで、自分の視野と、取得する画像を異なるものとすることができる。
【００３５】
請求項１３に記載の発明は、前記撮影画像発信部により発信された画像情報を前記情報受信部により受信して、前記画像情報に基づいて表示部に画像の表示を行うことを特徴とする請求項１１又は１２に記載の画像伝達システムである。
【００３６】
請求項１３に記載の発明によれば、被服を着衣した者の体に固定しながら画像取得部によって取得した画像情報に基づいて、表示部に画像の表示を行うことができるので、付近にいる別の者が表示部を見ることにより、被服を着衣した者の周囲を確認することができる。また、被服を着衣した者自身が表示部の画像を見ながら、画像を取得することもできる。
【００３７】
請求項１４に記載の発明は、請求項１〜１０のいずれかに記載の被服を有する画像伝達システムであって、別途設けられた情報発信手段により発信された外部情報を情報受信部により受信して、取得された外部情報に基づいて表示部に画像の表示を行うことを特徴とする画像伝達システムである。
ここで、「外部情報」とは、例えば、被服を着用した者以外が発する指示や連絡するための指示情報であったり、計測器などにより測定された測定値情報であったり、作業マニュアルや規格などの蓄積情報である。
【００３８】
請求項１４に記載の発明によれば、別途設けられた情報発信手段により発信された情報に基づいて表示部に画像の表示を行うことができるので、別の場所にいる者が出す指示情報や、測定値情報を表示部の画像で確認することができる。
【００３９】
請求項１５に記載の発明は、表示部に表示可能な画像は２以上であり、表示切替手段は、いずれかの画像を表示するかを選択することができることを特徴とする請求項１１〜１４のいずれかに記載の画像伝達システムである。
【００４０】
請求項１５に記載の発明によれば、表示部に表示可能な画像は２以上であり、表示切替手段は、いずれかの画像を表示するかを選択することができるので、必要なときに必要な情報を確認することができる。例えば、画像取得部により取得した画像情報と、外部情報に基づく情報の両方を表示することができる場合や、外部情報が２以上表示することができる場合には、必要な画像を表示することが可能となる。
【００４１】
【発明の実施の形態】
以下さらに本発明の具体的実施例について説明する。図１は、本発明の画像伝達システムの構成を示したブロック図である。図２は、本発明の被服を着用した状態で示した正面図である。図３は、本発明の被服を着用し拡大した状態で示した正面図である。図４は、本発明の画像伝達システムを使用状態を示す模式図である。図５は、本発明の変形例における被服を着用した状態での袖部を拡大した正面図である。図６は、図５に示す被服の袖部の表示部及び受光部を拡大した正面図である。図７は、本発明の被服を着用した状態で、高所作業を行う作業者を示した正面図である。図８は、本発明の被服である手術着を着用した状態で、手術を行っている状態を示した正面図である。
【００４２】
本発明の第１の実施形態である画像伝達システム１の構成は、図１に示されており、画像伝達システム１は、被服５と撮影部６を有している。被服５及び撮影部６の外観は図２に示されている。
【００４３】
図１に示されるように、被服５は表示部１０を有し、さらに、情報受信部１１、情報画像化部１２、第１の表示切替手段１３及び第２の表示切替手段１５を有している。
【００４４】
表示部１０と情報画像化部１２、及び、情報受信部１１と情報画像化部１２は、電気信号による情報を伝達できるように信号線２０で接続されている。また、第１の表示切替手段１３及び第２の表示切替手段１５は、情報画像化部１２に対して、所定の指示を与えることができるように信号線２１で接続されている。信号線２０及び信号線２１は、作業の際に引っかけることのない様に、内側に配置されている。表示部１０、情報受信部１１、情報画像化部１２、第１の表示切替手段１３及び第２の表示切替手段１５は、図示しない電池からの電力を供給して、使用できる構成となっている。
また、表示部１０、情報受信部１１、情報画像化部１２、第１の表示切替手段１３及び第２の表示切替手段１５は、被服本体５ａに取り付けられ、さらに詳しくは着脱可能に行われており、被服本体５ａの洗濯の際に上記の部材がぬれないようにすることができる。
【００４５】
表示部１０は、具体的には有機エレクトロルミネッセンスフィルム（以下有機ＥＬという）であり、それ自体屈曲可能であって可撓性を有するディスプレイである。そして、図２に示されるように、被服５の袖部２２であって前腕部に相当する位置であり、言い替えると、袖先に設けられている。なお、表示部１０は、屈曲可能であれば、他のものを用いることができる。
また、表示部１０は複数設けられている。具体的には、２つの袖部２２のそれぞれに各３枚取り付けられている。そして、その配置は、表示部１０の配列方向が袖部２２の周方向となるように配置されている。
【００４６】
情報受信部１１は、外部から情報を受信することができるものである。そして後述する撮影画像発信部２５や指示情報発信部３０から発信された電波を情報受信部１１により受信でき、情報受信部１１は撮影画像発信部２５や指示情報発信部３０から情報を受けることができる。なお、これらの無線の機器や通信の方式などは、公知技術などが用いられており詳細な説明は省略する。
情報画像化部１２は、情報受信部１１より受けた情報を表示部１０に表示することができるようにデータを変換して、表示部１０側に出力するものである。
【００４７】
第１の表示切替手段１３及び第２の表示切替手段１５は、表示部１０の表示状態を変更するための手段であり、表示部１０の内容又は表示態様を切り替えることができる。
表示部１０の内容の切り替えの例としては、表示するための情報が複数有る場合に、いずれかの情報に基づいて表示するかを選択することである。表示部の表示態様の切り替えの例としては、表示する向きを９０°、１８０°回転させて表示したり、複数設けられた表示部１０の中で使用する表示部１０を選択したり、表示位置を変更したりすることである。
【００４８】
第１の表示切替手段１３には、受光部３２が設けられている。そして、受光部３２が所定の種類の光を所定の時間を検知すると、第１の表示切替手段１３から情報画像化部１２へ表示切替指示情報が伝達され、情報画像化部１２での処理において表示部１０の表示が変更されるように処理が行われる。
図３に示されるように、受光部３２は複数設けられており、表示する表示部１０と表示方向に応じて、受光部３２を選択する。例えば、表示部１０ａを指先側を上にして表示したい場合には受光部３２ａを選択し、体の上側（手の甲を自分の方に向けて、手の甲側から見て小指側）を上にして表示したい場合には受光部３２ｄを選択する。他の表示部１０ｂ、１０ｃを選択する場合にも同様であり、受光部３２ｂ、３２ｃ、３２ｅ、３２ｆを選択することにより変更する。このように構成されているので、作業者の体勢によって、一番見やすい様に表示を切り替えることができる。
【００４９】
また、受光部３２は、表示部１０の付近に設けられており、表示部１０の画像を見ながら、表示の切替を行うことができる。
さらに、表示部１０の表示の向きは、指先側を上、又は、体の上側を上にして変更することができ、被服５を着衣した者が見えやすい方向となるように設定されている。
【００５０】
本実施形態においては、上記の所定の種類の光は、別途設けられた発光器３３から発せられるＬＥＤ（Ｌｉｇｈｔ  Ｅｍｉｔｔｉｎｇ  Ｄｉｏｄｅ）による光が用いられている。なお、発光器３３は、図２に示されるように、ヘルメット３５に取り付けられており、ヘルメット３５を固定することにより発光器３３を頭部に固定することができる。なお、受光部３２の検知する光に合わせて発光器３３が選定され、この所定の種類の光は指向性の強いものが好ましい。また、受光部３２が検知する光であればＬＥＤ光に限られるものでなく、レーザ光なども用いることができる。
【００５１】
第２の表示切替手段１５には、動き検知部３７が設けられている。動き検知部３７は、それ自身の動きにより加速度や角速度などを検知し、速度、加速度、角速度、傾きなど状態を確認することができるものである。そして、検知された状態が所定の条件を満たす場合には、第２の表示切替手段１５から情報画像化部１２へ表示切替指示情報が伝達され、情報画像化部１２での処理において表示部１０の表示が変更されるように処理が行われる。
本実施形態では、動き検知部３７は、ジャイロセンサと呼ばれる傾きを検知できるものが用いられている。そして、動き検知部３７は袖部２２に設けられ、腕をひねるなどして、表示部１０の表示を変更することができる。
【００５２】
撮影部６は、図１に示されるようにカメラ４０、撮影画像変換部４１、撮影画像発信部２５が設けられている。
カメラ４０は本発明の画像取得部となるものであり、電荷結合素子（Ｃｈａｒｇｅ  Ｃｏｕｐｌｅｄ  Ｄｅｖｉｃｅ  ）を使用した固体撮像素子を用いたカメラ（ＣＣＤカメラ）であり、小型のものが用いられている。カメラ４０は連続的に画像を取得し、動画を撮影することができる。そして、図２に示されるように、ヘルメット３５に取り付けられている。
撮影画像変換部４１は、カメラ４０によって取得したデータを無線で発信できるように変換して、撮影画像発信部２５側に出力するものである。
撮影画像発信部２５は、上記したように撮影画像変換部４１で変換された情報を無線で発信することができるものである。そして、情報受信部１１や、後述する受信部２９により受信して、表示部１０やモニタ２８上にカメラ４０による画像を表示することができる。
撮影画像変換部４１及び撮影画像発信部２５は、ヘルメット３５に取り付けてもよく、被服本体５ａに取り付けても良い。
【００５３】
次に、画像伝達システム１の使用方法について説明する。具体的には、図４に示されるように、高所作業などをする作業員と、離れた場所にいる現場監督との間で指示や報告する場合を用いて説明する。
【００５４】
まず、情報画像化手段５０と指示情報発信手段５１とは離れた場所に設置されている。図１に示されているように、情報画像化手段５０は、受信部２９とモニタ２８からなり、また、指示情報発信手段５１は、指示情報発信部３０と指示情報入力部２７からなる。
受信部２９は、撮影画像発信部２５から発信された無線を受信することができるものであり、モニタ２８は、受信部２９により受信された情報に基づいて、画像を表示するものである。
指示情報入力部２７は、画像を選択して指示情報発信部３０に送ることができるものであり、指示情報発信部３０は指示情報入力部２７から送られた情報を無線により発信して情報受信部１１へと送ることができるものである。
【００５５】
そして、離れた場所にいる現場監督から作業員に指示する場合は、指示情報入力部２７により、どのような画像を送るか決めて入力し、指示情報発信部３０を用いて、外部情報である指示情報を無線により送信する。この画像は、静止画、動画いずれでもよく、文字による表示を含んだ画像でもよい。文字による表示を含む場合には、文字化された指示内容を画像化し、画像によって指示を行うことができる。
そして、無線を通じ、この指示情報が被服５の情報受信部１１によって受信される。さらに、情報画像化部１２により、表示部１０で表示できるように変換して、受信された情報に基づいて表示部１０で表示する。
【００５６】
表示部１０で現場監督からの指示が表示されるので、作業員はそれに基づいて作業を行うことができる。また、画像により指示ができるので、複雑な指示が可能であり、また、騒音の激しい場所でも確実に指示することができる。
【００５７】
また、作業現場の状況を現場監督に送る場合には、送りたい部分をカメラ４０に写し、撮影画像変換部４１により、所定の形式に変換して、撮影画像発信部２５を用いて無線の送信をする。そして、無線を通じ、情報画像化手段５０の受信部２９により受信し、さらに、その受信された情報に基づいてモニタ２８に表示する。
【００５８】
モニタ２８には現場の画像を表示することができるので、現場監督は状況を容易に確認でき、また、どのように指示するのがよいか判断しやすい。
【００５９】
また、カメラ４０により写した画像により送信した無線を、被服５の情報受信部１１により受信して、表示部１０に表示することも可能である。このように、カメラ４０に写した画像を表示部１０に表示させることにより、送信されている画像がどのようなものかを確認することが可能であり、また、被服５を着用している作業員の付近にいる他の作業員に袖部２２を見せることもできる。
【００６０】
表示部１０の表示状態の切替は、第１及び第２の表示切替手段１３，１５により行うことができるので、容易に表示部１０の切替操作することができる。具体的には、撮影画像発信部２５から送信された情報に基づく画像か、指示情報発信部３０から送信された情報に基づく画像かを選択し、また、表示部１０の表示方向や、複数の表示部１０の内、どの表示部１０に画像を表示させるかを選択する。複数の指示情報発信部３０から送信された情報が有る場合には、いずれかを選択することをできるように構成しても良い。
【００６１】
また、この表示状態の切替を、別の方式で行うことができる。
図３を用いて説明すると、受光部３２は複数設けられており、表示部１０の表示の変更内容に応じて、受光部３２を選択する。例えば、受光部３２ａ、３２ｂ、３２ｃを選択すると、使用する表示部１０が切り替わる。また、受光部３２ｄ、３２ｅ、３２ｆを選択すると、表示部１０の表示方向が回転し、表示の上下の向きが切り替わる。そして、必要な表示部１０を選択して、それに対応する受光部３２に光を当てる。
【００６２】
また、上記表示部１０及び受光部３２の代わりに、図５、図６に示されるような、表示部６０、受光部６１、６２、６３を用いることができる。表示部６０は、周方向に巻かれており、図６に示されるように表示部分６５が変更できるようになっている。そして、受光部６１は細長く、受光部６１の配置は表示部６０の縁に沿っている。受光部６２、６３は表示部６０の両側に配置されている。
そして、表示部６０の変更は、発光器３３により発生した光を受光部６１にあてる。この光の当たった部位を図６において×印で示される照射部６６として説明する。図６（ａ）のように、発光器３３の光を受光部６１の中央付近に光を当てて、照射部６６を中央付近にすると、表示部分６５は表示部６０の中央付近となる。また、図６（ｂ）、（ｃ）のように、照射部６６を端の方向にずらすと、それに対応して、表示部分６５が移動する。また、図６（ｄ）、（ｅ）のように、受光部６２、６３を照射部６６とすると、それぞれの方向に、表示方向が変更される。
【００６３】
本発明は、図７に示されるような高所作業などのように、指示を行う現場監督が現場に行くことが難しく、作業者の体勢に制限が有る場合には特に有効であるが、離れた場所との間で画像により情報伝達を行うものであればどのような場合でも用いることができる。また、手術など、手先を注視する作業の場合には、袖先に表示部１０を設けて、確実に指示などを行うことができる。
また、画像の伝達だけでなく、音声による指示・報告を組み合わせることもできる。
【００６４】
上記した被服５には、２つの表示切替手段１３，１５が設けられているが、一方のみでも構わない。また、被服５には、表示部１０が複数設けられているが、１つでも構わない。
【００６５】
上記した被服５の動き検知部３７は、腕を振ることによって、動きを検知して表示部１０の切り替えを行うものであったが、動き検知部３７を位置や角度を検知することにより、被服５を着用した者の姿勢に合わせて、自動的に表示部１０の表示を変更する構成とすることもできる。
さらに、上記した表示切替手段１３，１５のように、受光部３２や動き検知部３７を設けず、外部から発信された表示切替指示情報を受信することができる受信部２９を設けて、前記表示切替指示情報に基づいて、表示部１０の切替を行っても良い。かかる場合には、被服５を着衣した者が操作することなく、離れた場所にいる者が、表示部１０の表示を切り替えることができる。
【００６６】
上記した画像伝達システム１には、画像取得部であるカメラ４０が設けられているものであったが、カメラ４０を設けず、指示情報発信手段５１による指示情報のみを表示部１０に表示するものでもよい。また、画像取得部であるカメラ４０は、頭部に設けられているが、体に固定できれば、頭部ではなく胸部や肩部などの別の場所に固定し、被服５に直接取り付ける構成としても良い。例えば、小型のカメラ４０に貫通孔を設けたものを用い、ボタンのように被服５に固定してもよい。また、カメラ４０を赤外線カメラとして、暗い場所での画像を取得可能としても良い。カメラ４０は、静止画のみ撮影するものでも良く、またカメラ４０で撮影された動画の一部である静止画を表示するようにしても良い。
上記した画像伝達システム１は、画像取得部であるカメラ４０から取得された画像情報を表示部１０に表示することができる構成であったが、カメラ４０から取得された画像情報を表示部１０に表示しない構成とすることもできる。
【００６７】
表示部１０の表示画像の大きさは、任意の大きさに拡大、縮小が可能であるが、小さなものや遠くを表示する場合には、表示部１０の画像を拡大する構成として見やすくすることも可能である。
【００６８】
また、上記した画像伝達システム１では、画像取得部であるカメラ４０から取得された画像情報を表示部１０に表示する際に無線を用いているが、無線でなく信号線などを用いて有線で行っても良い。
【００６９】
上記した画像伝達システム１では、外部情報として被服５を着用した以外の者から発信される指示情報を用いたものであったが、外部情報として計測器などにより測定された測定値情報や作業マニュアルや規格などの蓄積情報を用いても良い。そして、表示部１０に測定値情報である外部情報を表示することにより、被服５を着用した者が、測定値を確認しながら、作業が可能となる。例えば、図８に示されるように、手術用着に本発明の被服５を着用し、血圧、心拍数、その他の値や心電図を表示部１０に表示させて、それを見ることにより容易に確認することが可能となる。また、蓄積情報を表示部１０に表示させることにより、蓄積情報を参考にしながら作業することができる。
さらに、本発明の被服５と撮影部６を複数の者が身につけて、他人が取得した画像を自分の表示部１０に表示して、互いに他人の画像を見ることができるようにしてもよい。
【００７０】
さらに、本発明の被服５は、高所作業や手術以外にも様々な場面で用いることができる。例えば、料理教室等の、他人に技能などを教える場合や、講演などの際に、料理のレシピや話の内容など、被服５を着用した者が必要な情報を表示部１０に表示することができる。そして、表示部１０の情報によって、段取り良く行うことができる。この場合、表示部１０が被服５を着用した者がよく見えて、他人からは見えにくい位置に設けることが望ましく、具体的な位置としては、例えば、腕の内側（体側）である。
【００７１】
【発明の効果】
本発明によれば、作業性を悪化させることなく、指示や報告などが可能な被服及び画像伝達システムを提供することができる。
【図面の簡単な説明】
【図１】本発明の画像伝達システムの構成を示したブロック図である。
【図２】本発明の被服を着用した状態で示した正面図である。
【図３】本発明の被服を着用し拡大した状態で示した正面図である。
【図４】本発明の画像伝達システムを使用状態を示す模式図である。
【図５】本発明の変形例における被服を着用した状態での袖部を拡大した正面図である。
【図６】図５に示す被服の袖部の表示部及び受光部を拡大した正面図である。
【図７】
本発明の被服を着用した状態で、高所作業を行う作業者を示した正面図である。
【図８】
本発明の被服である手術着を着用した状態で、手術を行っている状態を示した正面図である。
【符号の説明】
１    画像伝達システム
５    被服
６    撮影部
１０、６０  表示部
１１  情報受信部
１３  第１の表示切替手段
１５  第２の表示切替手段
２２  袖部
２５  撮影画像発信部
２８  モニタ
２９  受信部
３０  指示情報発信部
３２  受光部
３３  発光器
３７  動き検知部
４０  カメラ（画像取得部）
６１，６２，６３  受光部
【図１】
2004232156.tif 000003
【図２】
2004232156.tif 000004
【図３】
2004232156.tif 000005
【図４】
2004232156.tif 000006
【図５】
2004232156.tif 000007
【図６】
2004232156.tif 000008
【図７】
2004232156.tif 000009
【図８】
2004232156.tif 000010